【事件の表示】
　特許第３１００５４０号「筆記具」の請求項１に係る特許に対する特許異議の申立てについて、次のとおり決定する。
【結　論】
　訂正を認める。
　特許第３１００５４０号の請求項１に係る特許を維持する。
【理　由】
１.手続の経緯
　特許第３１００５４０号の請求項１に係る発明は、平成７年１０月３０日に特許出願され、平成１２年８月１８日にその特許権の設定登録がなされ、その後、松野靖恵より特許異議の申立てがなされ、取消しの理由が通知され、その指定期間内である平成１４年２月１日に訂正請求がなされたものである。
　
２.訂正の適否についての判断
2-1.訂正の内容
（１）訂正事項ａ
　平成１２年５月１２日付け及び平成１２年５月２２日付け手続補正書で補正された、特許権設定登録時の明細書（以下、「特許明細書」という。）の特許請求の範囲の請求項１における「透明な合成樹脂材料からなる筆記具において、」を、「軸筒が透明な合成樹脂材料からなる筆記具において、」と訂正する。
（２）訂正事項ｂ
　特許明細書の特許請求の範囲の請求項１における「透明な合成樹脂材料でなるキャップまたはクリップの表面に、」を、「透明な合成樹脂材料でなり且つ軸筒と一体のクリップにおける軸筒との連接部位よりも先端側の挟み込み部位の略全表面に、」と訂正する。
（３）訂正事項ｃ
　特許明細書の特許請求の範囲の請求項１における「その本体の成形と同時に梨地加工を施して、当該部分に鮮明且つ浮き出るように現出する表示印刷部が設けられたことを特徴とする筆記具。」を、「その本体の成形と同時に梨地加工を施して、当該部分に表示印刷部が設けられ、該表示印刷部に印刷された表示を鮮明且つ浮き出るように現出することを特徴とする筆記具。」と訂正する。
（４）訂正事項ｄ
　特許明細書の段落［０００５］における「課題を達成するために本発明は、透明な合成樹脂材料からなる筆記具において、透明な合成樹脂材料でなるキャップまたはクリップの表面に、その本体の成形と同時に梨地加工を施して、当該部分に鮮明且つ浮き出るように現出する表示印刷部が設けられたことである。」を、「課題を達成するために本発明は、軸筒が透明な合成樹脂材料からなる筆記具において、透明な合成樹脂材料でなり且つ軸筒と一体のクリップにおける軸筒との連接部位よりも先端側の挟み込み部位の略全表面に、その本体の成形と同時に梨地加工を施して、当該部分に表示印刷部が設けられ、該表示印刷部に印刷された表示を鮮明且つ浮き出るように現出することである。」と訂正する。
（５）訂正事項ｅ
　特許明細書の段落［００１０］における「尚、上記した実施例においてはクリップ３の表面に梨地からなる表示印刷部５を設けた形態として詳述したが、軸筒１、先口２、ノックキャップ４の表面一部に同様に設けるものである。又、筆記具としてシャープペンシルの例を詳述したが、ボールペンの場合も同様であり、」を「尚、上記した実施例においては筆記具としてシャープペンシルの例を詳述したが、ボールペンの場合も同様であり、」と訂正するｏ
（６）訂正事項ｆ
　特許明細書の段落［００１１］における「図２は筆記具（ボールペン）の他の実施例を示し、斯る実施例は軸筒７の先端に着脱自在に被嵌するキャップ８の表面に上記した実施例詳述と同様に、梨地からなる表示印刷部５を施し、表示６が剥がれることがない状態でしっかり塗着される様にしたものである。」を削除する。
（７）訂正事項ｇ
　特許明細書の段落［００１２］における「梨地からなる表示印刷部を本体の一部、例えばクリップを一体に備える」を「梨地からなる表示印刷部を、クリップを一体に備える」と訂正する。
（８）訂正事項ｈ
　特許明細書の［図面の簡単な説明］における「［図２］ボールペンの例を示した本発明筆記具の正面図」を削除する。
（９）訂正事項ｉ
　特許明細書の［図面の簡単な説明］における［符号の説明］の「１，７…軸筒」を、「１…軸筒」と訂正する。
（１０）訂正事項ｊ
　特許明細書の［図面の簡単な説明］における［符号の説明］の「８…キャップ」を削除する。
（１１）訂正事項ｋ
　出願当初の図面における図２を削除する。　
　
2-2.訂正の目的の適否、新規事項の有無及び特許請求の範囲の拡張・変更の存否
　上記訂正事項ａについては、「透明な合成樹脂材料からなる筆記具」を、より下位概念の「軸筒が透明な合成樹脂材料からなる筆記具」と限定し、特許請求の範囲の減縮を目的とするものである。
　上記訂正事項ｂについては、「キャップまたはクリップ」を、二者択一的記載のうちのキャップの削除により「クリップ」に限定するとともに、当該「クリップ」を、より下位概念の「軸筒と一体のクリップ」と限定し、更に、「クリップの表面に」を、より下位概念の「クリップにおける軸筒との連接部位よりも先端側の挟み込み部位の略全表面に」に限定し、特許請求の範囲の減縮を目的とするものである。
　上記訂正事項ｃについては、「鮮明且つ浮き出るように現出する」の対象である「表示印刷部に印刷された表示」を構成要件として付加するとともに、語順を入れ替えて記載を明りようにするものであり、明りようでない記載の釈明を目的とするものである。
　上記訂正事項ｄ〜ｋについては、上記訂正事項ａ〜ｃにより訂正された特許請求の範囲の記載と発明の詳細な説明及び図面の記載の整合を図るものであり、明りようでない記載の釈明を目的とするものである。
　また、上記訂正事項ａ〜ｋは、願書に添付した明細書又は図面に記載した事項の範囲内の訂正であり、実質上特許請求の範囲を拡張し又は変更するものでもない。
　
2-3.むすび
　以上のとおりであるから、上記訂正は、特許法第１２０条の４第２項及び同条第３項において準用する同法第１２６条第２項及び第３項の規定に適合するので、当該訂正を認める。
　
３.特許異議の申し立てについての判断
3-1.本件請求項１に係る発明
　上記「２.訂正の適否についての判断」で示したように上記訂正が認められるから、本件請求項１に係る発明は、上記訂正請求書に添付した訂正明細書の特許請求の範囲の請求項１に記載された次の事項により特定されるとおりのものである。
「軸筒が透明な合成樹脂材料からなる筆記具において、透明な合成樹脂材料でなり且つ軸筒と一体のクリップにおける軸筒との連接部位よりも先端側の挟み込み部位の略全表面に、その本体の成形と同時に梨地加工を施して、当該部分に表示印刷部が設けられ、該表示印刷部に印刷された表示を鮮明且つ浮き出るように現出することを特徴とする筆記具。」
　
3-2.異議の申立ての理由の概要
　申立人松野靖恵は、下記の証拠方法を提出し、以下のように主張する。
　本件請求項１に係る発明は、甲第１、２号証に記載された発明に基いて、当業者が容易に発明をすることができたものであるから、本件特許の請求項１に係る発明の特許は、特許法第２９条第２項の規定に違反してなされたものであり、取り消されるべきである。
　　　　　　　　　　　　　　　　記
　甲第１号証：「Ｐｅｎｔｅｌ　１９９３総合カタログ」，油性ボールペンＢＫ７７に関する欄
　甲第２号証：特開平６−２４１９４号公報
　
3-3.取消理由の概要
　当審で通知した取消理由の概要は、以下のものである。
　本件請求項１に係る発明は、下記の刊行物１、２に記載された発明に基いて、当業者が容易に発明をすることができたものであるから、本件請求項１に係る発明の特許は、特許法第２９条第２項の規定に違反してなされたものであり、取り消すべきものである。
　　　　　　　　　　　　　　　　記
　刊行物１：上記甲第１号証
　刊行物２：実願昭５６−１２０３５号（実開昭５７−１２５３７６号）のマイクロフィルム
　
3-4.各刊行物、甲各号証に記載された事項
　〔刊行物１（甲第１号証）〕
「透明な合成樹脂材料からなる軸筒と、該軸筒に被嵌される透明な合成樹脂材料でなるキャップとを具備し、該キャップと一体のクリップにおけるキャップとの連接部位よりも先端側の挟み込み部位の表面に、印刷された表示を有する筆記具」の発明が記載されていると認められる。
　〔刊行物２〕
「本考案は筆記道具たとえばボールペン、マジック、鉛筆等の面−表面の任意の部分に、つやけしした面、又は微細なる凹凸面よりなるざらざら面をもうけ、そこに簡便に表示・・・が出来る様にしてなされた考案に係るものである。」（１頁１０〜１３行）、
「ざらざら面（２）をもうけてなることから、この面にボールペンか他の筆記具をもちいて・・・表示をした場合、インク液が、ざらざら面の凹部に入って、流れることなく、乾燥して、・・・・・きえることがない。」（２頁１１〜１５行）、
「本考案のつやけしした面、あるいはざらざら面を任意の部分にもうけることによって、かつまた筆記道具等が樹脂等の軸の場合、金型に本考案のざらざら面か、つやけしした部分−面をもうけてなる様にする」（２頁末行〜３頁３行）と記載され、これらの記載及び図面第１〜３図の記載からみて、
　刊行物２には、
「表面の任意の部分に、本体の成形と同時に微細なる凹凸面よりなるざらざら面か、つやけしした部分を設けて、当該部分に表示が出来る様にした筆記具」の発明が記載されていると認められる。
　〔甲第２号証〕
「筆記具本体１外周面に不透明色の塗膜５を被着することにより着色してあるので、透明な筆記具本体１の大半を着色層により覆って外観を良好に保つことがてきると共に、帯状透明部６を通して筆記具本体１内のインキ２の残量を視ることができる。」（３頁３欄１３〜１８行）
「筆記具本体１の着色部分は・・・表面をなし地に荒すことにより滑べり止め効果を向上させることもできる。」（３頁３欄３０〜３３行）
　
3-5.対比・判断
　本件請求項１に係る発明と上記刊行物１（甲第１号証）、刊行物２及び甲第２号証に記載された発明とを対比すると、
　本件請求項１に係る発明を特定する事項である「透明な合成樹脂材料でなり且つ軸筒と一体のクリップにおける軸筒との連接部位よりも先端側の挟み込み部位の略全表面に、梨地加工を施して、当該部分に表示印刷部が設けられ、該表示印刷部に印刷された表示を鮮明且つ浮き出るように現出する」点が、刊行物１（甲第１号証）、刊行物２及び甲第２号証には記載されておらず、また上記の点を示唆する記載もないから、
　本件請求項１に係る発明は、刊行物１（甲第１号証）及び刊行物２に記載された発明、又は、甲第１号証及び甲第２号証に記載された発明に基いて当業者が容易に発明をすることができたものであるということはできない。
　そして、本件請求項１に係る発明は、
「１．印刷インキは梨地からなる表示印刷部の凹部内に入り込んだ状態で印刷される。よって、印刷された表示は剥がれることがない状態でしっかり表示印刷部に塗着される。そして、表示印刷部は凸凹な梨地模様により半透明、或いは不透明な状態に現出する。よって、印刷された表示が鮮明且つ浮き出るように現出し、見易くなる。
　２．梨地からなる表示印刷部を、クリップを一体に備える軸筒の成形と同時に該クリップの表面に施す様にしたから、軸筒を成形した後に、後加工により梨地からなる表示印刷部を施す加工方法に比べて安価に、しかも所定の場所に確実且つ正確に設けることができる。よって、大量生産を主眼とするこの種の筆記具類において実用性大なる効果が期待できる。
　従って、本発明の透明な合成樹脂材料からなる筆記具によれば、透明性を強調し、透明体が有する装飾的効果と美的感覚を低下されることなく、印刷インキの剥れを防ぐインキの塗着効果が期待でき、更には表示が鮮明に現れて見易い現出効果が期待できる。しかも、低コストにて製作提供することができる。 」という、本件訂正明細書に記載の効果を奏するものである。
　
3-6.むすび
　以上のとおりであるから、特許異議の申立ての理由によっては本件請求項１に係る発明についての特許を取り消すことはできない。
　また、他に本件請求項１に係る発明についての特許を取り消すべき理由を発見しない。
　よって、結論のとおり決定する。
【異議決定日】
平成１４年２月１５日（２００２．２．１５）
【訂正の要旨】
　本件特許第３１００５４０号の訂正事項は、以下のとおりである。
（１）訂正事項ａ
　特許請求の範囲の減縮を目的として、特許明細書の特許請求の範囲の請求項１における「透明な合成樹脂材料からなる筆記具において、」を、「軸筒が透明な合成樹脂材料からなる筆記具において、」と訂正する。
（２）訂正事項ｂ
　特許請求の範囲の減縮を目的として、特許明細書の特許請求の範囲の請求項１における「透明な合成樹脂材料でなるキャップまたはクリップの表面に、」を、「透明な合成樹脂材料でなり且つ軸筒と一体のクリップにおける軸筒との連接部位よりも先端側の挟み込み部位の略全表面に、」と訂正する。
（３）訂正事項ｃ
　明りようでない記載の釈明を目的として、特許明細書の特許請求の範囲の請求項１における「その本体の成形と同時に梨地加工を施して、当該部分に鮮明且つ浮き出るように現出する表示印刷部が設けられたことを特徴とする筆記具。」を、「その本体の成形と同時に梨地加工を施して、当該部分に表示印刷部が設けられ、該表示印刷部に印刷された表示を鮮明且つ浮き出るように現出することを特徴とする筆記具。」と訂正する。
（４）訂正事項ｄ
　明りようでない記載の釈明を目的として、特許明細書の段落［０００５］における「課題を達成するために本発明は、透明な合成樹脂材料からなる筆記具において、透明な合成樹脂材料でなるキャップまたはクリップの表面に、その本体の成形と同時に梨地加工を施して、当該部分に鮮明且つ浮き出るように現出する表示印刷部が設けられたことである。」を、「課題を達成するために本発明は、軸筒が透明な合成樹脂材料からなる筆記具において、透明な合成樹脂材料でなり且つ軸筒と一体のクリップにおける軸筒との連接部位よりも先端側の挟み込み部位の略全表面に、その本体の成形と同時に梨地加工を施して、当該部分に表示印刷部が設けられ、該表示印刷部に印刷された表示を鮮明且つ浮き出るように現出することである。」と訂正する。
（５）訂正事項ｅ
　明りようでない記載の釈明を目的として、特許明細書の段落［００１０］における「尚、上記した実施例においてはクリップ３の表面に梨地からなる表示印刷部５を設けた形態として詳述したが、軸筒１、先口２、ノックキャップ４の表面一部に同様に設けるものである。又、筆記具としてシャープペンシルの例を詳述したが、ボールペンの場合も同様であり、」を「尚、上記した実施例においては筆記具としてシャープペンシルの例を詳述したが、ボールペンの場合も同様であり、」と訂正するｏ
（６）訂正事項ｆ
　明りようでない記載の釈明を目的として、特許明細書の段落［００１１］における「図２は筆記具（ボールペン）の他の実施例を示し、斯る実施例は軸筒７の先端に着脱自在に被嵌するキャップ８の表面に上記した実施例詳述と同様に、梨地からなる表示印刷部５を施し、表示６が剥がれることがない状態でしっかり塗着される様にしたものである。」を削除する。
（７）訂正事項ｇ
　明りようでない記載の釈明を目的として、特許明細書の段落［００１２］における「梨地からなる表示印刷部を本体の一部、例えばクリップを一体に備える」を「梨地からなる表示印刷部を、クリップを一体に備える」と訂正する。
（８）訂正事項ｈ
　明りようでない記載の釈明を目的として、特許明細書の［図面の簡単な説明］における「［図２］ボールペンの例を示した本発明筆記具の正面図」を削除する。
（９）訂正事項ｉ
　明りようでない記載の釈明を目的として、特許明細書の［図面の簡単な説明］における［符号の説明］の「１，７…軸筒」を、「１…軸筒」と訂正する。
（１０）訂正事項ｊ
　明りようでない記載の釈明を目的として、特許明細書の［図面の簡単な説明］における［符号の説明］の「８…キャップ」を削除する。
（１１）訂正事項ｋ
　明りようでない記載の釈明を目的として、出願当初の図面における図２を削除する。
（５４）【発明の名称】
筆記具
（５７）【特許請求の範囲】
　【請求項１】　
軸筒が
り且つ軸筒と一体の
における軸筒との連接部位よりも先端の挟み込み部位の略全
表示印刷部が設けられ、該表示印刷部に印刷された表示を鮮明且つ浮き出るように現出する
【発明の詳細な説明】
　【０００１】
　【発明が属する技術分野】
　本発明は、ボールペンやシャープペンシル等の筆記具類に係り、特に透明な合成樹脂材料からなる筆記具類一般に関する。
　【０００２】
　【従来の技術】
　近年、ボールペンやシャープペンシル等の筆記具の軸筒、先口、キャップ、クリップ等を透明な合成樹脂材料を用いて成形することで、透明性を強調した種々の文具が提案され提供されてきている。即ち、透明体が有する装飾的効果と美的感覚を付与して商品としての品質向上を図った文具が提案され提供されてきている。
　【０００３】
　【発明が解決しようとする課題】
　ところで、ボールペンやシャープペンシル等の筆記具の軸筒、キャップ、クリップ等の表面には商品名、製造年月日、商品番号、そして会社名等の表示が印刷されている。しかし乍ら、表示が印刷された部分は透明であるが故に、内部構造が見えるため、表示がぼやけてしまい鮮明に現れ難く、見難い。又、表示が印刷された表面が鏡面であるが故に、印刷インキの表面に対する塗着が悪く、剥がれ易い等の課題が残されていた。
　【０００４】
　本発明はこの様な事情に鑑みてなされたもので、その目的とする処は、表示が鮮明に現れ、しかも印刷インキが剥がれることがない筆記具を提供することである。
　【０００５】
　【課題を達成するための手段】
　課題を達成するために本発明は、
軸筒が
り且つ軸筒と一体の
における軸筒との連接部位よりも先端側の挟み込み部位の略全
表示印刷部が設けられ、該表示印刷部に印刷された表示を鮮明且つ浮き出るように現出する
　【０００６】
　而して、斯る技術的手段によれば、印刷インキは梨地からなる表示印刷部の凹部内に入り込んだ状態で印刷される。それにより、印刷された表示は剥がれることがない状態でしっかり表示印刷部に塗着する。そして、表示印刷部は凸凹な梨地模様により半透明、或いは不透明な状態になる。それにより、印刷された表示が鮮明且つ浮き出るように現出することから、見易くなる。
　【０００７】
　【発明の実施の形態】
　本発明の実施の具体例を図面に基づいて説明する。
　図１は筆記具（シャープペンシル）の例を示し、軸筒１、先口２、クリップ３、ノックキャップ４は透明な合成樹脂材料から成形され、透明性を強調し、透明体が有する装飾的効果と美的感覚を付与してなる。そして、クリップ３の表面に梨地を施して当該部分に表示印刷部５を設ける。
　【０００８】
　表示印刷部５は、クリップ３を一体に備える軸筒１の成形と同時に該クリップ３の表面に、商品名、製造年月日、商品番号、そして会社名等の表示６を印刷し得る面積にて施され、印刷インキが剥れることがない梨地模様の凹部内に入り込んだ状態でしっかりと塗着される様にしてなる。
　【０００９】
　而して、印刷インキは梨地からなる表示印刷部５の凹部内に入り込んだ状態で印刷されることから、表示６は剥がれることがない状態でしっかり表示印刷部５に塗着される。そして、表示印刷部５は凸凹な梨地模様により半透明、或いは不透明な状態に現出することから、表示６が鮮明且つ浮き出るように現出し、見易くなる。
　【００１０】
　尚、上記した実施例において
は筆
　【００１１】
　【００１２】
　【発明の効果】
　本発明の筆記具は叙上の如く構成してなるから、下記の作用効果を奏する。
▲１▼．印刷インキは梨地からなる表示印刷部の凹部内に入り込んだ状態で印刷される。よって、印刷された表示は剥がれることがない状態でしっかり表示印刷部に塗着される。そして、表示印刷部は凸凹な梨地模様により半透明、或いは不透明な状態に現出する。よって、印刷された表示が鮮明且つ浮き出るように現出し、見易くなる。
▲２▼．梨地からなる表示印刷部
を、ク
　【００１３】
　従って、本発明の透明な合成樹脂材料からなる筆記具によれば、透明性を強調し、透明体が有する装飾的効果と美的感覚を低下されることなく、印刷インキの剥れを防ぐインキの塗着効果が期待でき、更には表示が鮮明に現れて見易い現出効果が期待できる。しかも、低コストにて製作提供することができる。
【図面の簡単な説明】
　【図１】　シャープペンシルの例を示した本発明筆記具で、（イ）は正面図、（ロ）は（イ）のローロ線拡大断面
図　
　【符号の説明】
　　
１…
　　３…クリップ　　　　　　　　　　　　４…ノックキャップ
　　５…表示印刷部　　　　　　　　　　　６…表
示